(57)【特許請求の範囲】
【請求項１】
棚体及び少なくとも一つの引出しを含み、
該棚体は結合筐体、背板、二つの側板、上板及び下板を組み合わせて構成し、該結合筐体は管部材で矩形枠状に構成し、その四辺を、該上板、該下板、及び各該側板前端を内向きの折り曲げて形成した結合溝内に嵌入し、
該引出しはその両側の滑りレールを該側板内側に接続することで、該滑りレールにおいて摺動可能に設置され、該引出しは引出し前板、二つの引出し側板、引出し底板を組み合わせて構成し、
該上板の両側の接続端縁の内側に、挿入溝を介してＬ字型の固定部材を設け、各側板上端を該挿入溝に挿入し、
該棚体の各該側板の下端は内側に折り曲げて係合溝を形成し、該下板の両側を外向きに折り曲げて係合縁を形成し、該側板の該係合縁と該下板の該係合溝を係合させ、
該側板、該上板、該下板の後端を内向きに折り曲げて突出する係合縁を形成し、該背板の４辺端縁を折り曲げて係合溝を形成し、該側板、該上板、該下板の後端の係合縁に該背板の４辺端縁の係合溝を係合させ、
該引出し前板の下部に、折り曲げにより結合溝を結合し、該引出し底板前方に折り曲げにより結合縁を形成して該引出し前板の下部の結合溝に係合させ、
該引出し前板の両側端に、折り曲げにより、傾斜角度を有する結合溝を形成し、該引出し側板の前方に折り曲げにより結合縁を形成し、該引出し側板の前方の結合縁は、該引出し前板の両側端の結合溝に係合され、
該引出し側板後端に、折り曲げにより係合縁を形成し、該引出し後板の両側に、折り曲げにより係合縁を形成し、該引出し側板後端の係合縁に、該引出し後板の両側の係合縁を係合させることを特徴とする、組立式引出し付き事務棚。
【請求項２】
請求項１記載の組立式引出し付き事務棚において、該引出し後板の板体の適宜位置に、該引出し底板を位置決めする位置決め用のフランジが内向きに突出するよう加工されたことを特徴とする、組立式引出し付き事務棚。
【請求項３】
請求項１記載の組立式引出し付き事務棚において、該引出し側板に一体に該滑りレールの接続用の連結片を設けたことを特徴とする、組立式引出し付き事務棚。
【発明の詳細な説明】
【技術分野】
【０００１】
本発明は一種の引出し付き事務棚に係り、特に棚体と引出し板材との係合結合方式により、棚体と引出しの部品製造工程の簡素化を図り、迅速に組み立てられ、製品の輸送と収納スペースを軽減するものに関する。
【背景技術】
【０００２】
引出し付き事務棚は、主に棚体と引出しにより構成し、物品を収納する空間を提供し、室内空間を整える。現在の事務棚の組立技術は、固定式と組立式に大別できる。固定式は該棚体と引出しの板材を加工するときに、そのまま使用可能な製品に仕上げる。一方、組立式は該板材を部品に作り上げて、後に製品実体を組み立てる。
【０００３】
通常の固定式引出し付き事務棚について、該棚体は必要な板材を結合させて組み立てて、収容空間を備えた棚体を形成する。置物引出し機構の製造技術も同じく、部品の前板、二つの側板、後部板、底板などの板材を溶接又は螺止め方式により連結して仕上げる。
【発明の開示】
【発明が解決しようとする課題】
【０００４】
しかしながら、公知技術によると、棚体を製造するときは、各板材の端縁を曲げ加工し、連結縁を形成し、対応する連結縁を溶接固定するため、生産コストがアップするほか、棚体と引出し製品の材積に制限を受け、変更できない。収納空間と輸送が不便で、経済効果を見出せない。
【０００５】
本発明は一種の組立式引出し付き事務棚に関わるものである。本発明は、棚体及び引出しを有する。該棚体は結合筐体、背板、二つの側板、上板及び下板を組み合わせて構成する。該結合筐体は管部材で矩形枠状に構成し、その四辺は該上板及び該下板及び二つの側板の前端に結合し、各板材の接続縁に、曲げ加工により結合手段を形成する。該引出しの両側に設けた滑りレールを該棚体側板の所定場所に接続し、該引出しを該滑りレールに沿って摺動自在とする。該引出しは引出し前板、二つの引出し側板、引出し底板及び引出し後部板を組み合わせて構成する。各引出し板材の接続縁は、それぞれ曲げ加工により係合手段を形成し、互いに係合させる。本発明は前記の構成要素を組み合わせて構成し、該棚体と該引出しの各板材はそれぞれ単独に形成し、板材同士は簡単、便利、かつ迅速に組み合わせることができる。全体的に収納と輸送の便利を図る組立式引出し付き事務棚である。
【課題を解決するための手段】
【０００６】
請求項１の発明は、棚体及び少なくとも一つの引出しを含み、
該棚体は結合筐体、背板、二つの側板、上板及び下板を組み合わせて構成し、該結合筐体は管部材で矩形枠状に構成し、その四辺を、該上板、該下板、及び各該側板前端を内向きの折り曲げて形成した結合溝内に嵌入し、
該引出しはその両側の滑りレールを該側板内側に接続することで、該滑りレールにおいて摺動可能に設置され、該引出しは引出し前板、二つの引出し側板、引出し底板を組み合わせて構成し、
該上板の両側の接続端縁の内側に、挿入溝を介してＬ字型の固定部材を設け、各側板上端を該挿入溝に挿入し、
該棚体の各該側板の下端は内側に折り曲げて係合溝を形成し、該下板の両側を外向きに折り曲げて係合縁を形成し、該側板の該係合縁と該下板の該係合溝を係合させ、
該側板、該上板、該下板の後端を内向きに折り曲げて突出する係合縁を形成し、該背板の４辺端縁を折り曲げて係合溝を形成し、該側板、該上板、該下板の後端の係合縁に該背板の４辺端縁の係合溝を係合させ、
該引出し前板の下部に、折り曲げにより結合溝を結合し、該引出し底板前方に折り曲げにより結合縁を形成して該引出し前板の下部の結合溝に係合させ、
該引出し前板の両側端に、折り曲げにより、傾斜角度を有する結合溝を形成し、該引出し側板の前方に折り曲げにより結合縁を形成し、該引出し側板の前方の結合縁は、該引出し前板の両側端の結合溝に係合され、
該引出し側板後端に、折り曲げにより係合縁を形成し、該引出し後板の両側に、折り曲げにより係合縁を形成し、該引出し側板後端の係合縁に、該引出し後板の両側の係合縁を係合させることを特徴とする、組立式引出し付き事務棚としている。
請求項２の発明は、請求項１記載の組立式引出し付き事務棚において、該引出し後板の板体の適宜位置に、該引出し底板を位置決めする位置決め用のフランジが内向きに突出するよう加工されたことを特徴とする、組立式引出し付き事務棚としている。
請求項３の発明は、請求項１記載の組立式引出し付き事務棚において、該引出し側板に一体に該滑りレールの接続用の連結片を設けたことを特徴とする、組立式引出し付き事務棚としている。
【発明の効果】
【０００７】
前記した説明のとおり、本発明は従来の技術に比べて、以下の効果を有する：
１．生産コストの低減：
本発明の各板材は、生産時に板材端部に曲げ加工により形成された係合手段の係合により組み合わされる。これにより、公知技術のような板材による溶接加工が不要であり、生産コスト低減の効果を有する。
２．組立手順の簡素化：
本発明は組み立てるとき、曲げ加工により形成された該係合手段を係合させて組み立てることで、ねじによる締結を減少し、迅速に棚体を組み立てることができるため、組立フローを有効に簡素化できる。
３．産業競争力の向上：
本発明の引出し付き事務棚は、板材を順番に係合させることで組み立てるため、組み立てる前、各板材を重ねて包装でき、製品の輸送と収納空間を減少し、物流コストを軽減し、産業により良い競争力を提供する。
【発明を実施するための最良の形態】
【０００８】
まず、図１〜６に示すとおり本発明の引出し付き事務棚は主に、棚体１０と、該棚体１０内部に摺動可能に設置する複数の引出し２０より構成する。
【０００９】
そのうち、該棚体１０は、結合筐体１１、背板１２、二つの側板１３、１４、上板１５及び下板１６を組み合わせて構成する。該結合筐体１１は管部材で矩形枠状に構成し、その４辺は該上板１５、該下板１６及びこれら側板１３、１４の前端に設けた結合溝に結合する。これら板体、すなわち、該背板１２、該二つの側板１３、１４、該上板１５及び該下板１６同士の連結端には、互いに係合する係合手段を折り曲げにより形成する。該上板１５の両側端は下向きに折り曲げ、その内側に、挿入溝１５２を介してＬ字型の固定部材１５１を設け、該挿入溝１５２に該側板１３、１４の上端を嵌め込む。該上板１５の前端内側に、折り曲げにより結合溝１５３を形成し、後端内側に、折り曲げにより、突起状の係合縁１５４を形成する。
【００１０】
該側板１３、１４の上端は該上板１５の該挿入溝１５２中に挿入する。これら側板１３、１４の前端内側に、結合溝１３１、１４１を、下端内側に係合溝１３２、１４２をそれぞれ折り曲げにより形成し、後端内側に、折り曲げにより、突起状の係合縁１３３、１４３を形成する。各側板１３、１４内側の対向位置に、二つの固定フレーム１３４、１４４を設け、該固定フレーム１３４、１４４には組立孔１３５、１４５を設けて、該組立孔１３５、１４５に滑りレール３０を接続する。
【００１１】
該下板１６前端内側に、折り曲げにより結合溝１６１を形成し、両側端を上向きさらに下向きに折り曲げて係合部１６２を形成し、さらに外側に延伸してから上向きに折り曲げて係合縁１６３を形成し、各該側板１３、１４下部の係合溝１３２、１４２との結合に備える。さらに、該下板１６の後端を上向きさらに内向きにＵ形に折り曲げて、係合縁１６４を設ける。
【００１２】
該背板１２の４辺に、外向きに折り曲げることで係合溝１２１を形成し、該側板１３、１４及び該上板１５及び該下板１６の係合縁１３３、１４３、１５４、１６４と係合させて、ボルトで締結する。
【００１３】
図１０〜１２に示すとおり、該引出し２０を両側の滑りレール３０に摺動可能に組み合わせ、該滑りレール３０を該側板１３、１４に設けた固定フレーム１３４、１４４の組立孔１３５、１４５に連結する。該引出し２０は引出し前板２１、二つの引出し側板２２、２３、引出し後板２４及び引出し底板２５を組み合わせて構成する。該引出し前板２１の下部に折り曲げにより、結合溝２１１を形成し、両側は折り曲げにより傾斜角度を有する結合溝２１２を形成する。
【００１４】
該引出し側板２２、２３の前端は外向きに折り曲げて、結合縁２２１、２３１を形成し、後端は内側に折り曲げて係合縁２２２、２３２を形成し、下端は内側に折り曲げて、折れ縁２２３、２３３を設ける。二つの該引出し側板２２、２３の対向位置に、凹字型の連結片２２４、２３４をそれぞれ設け、該滑りレール３０を接続する。
【００１５】
該引出し後板２４の上端と両側端を外向きに折り曲げて係合縁２４１を形成し、下端に折り曲げにより折れ縁２４２を形成する。さらに、該引出し後板２４の内側の適宜位置に固定用のフランジ２４３をプレス加工する。
【００１６】
該引出し底板２５の前端を外向きさらに内向きに折り曲げて結合縁２５１を形成し、残りの三つの端縁はそれぞれ外向きに折り曲げて折り縁２５２を形成し、それぞれ折れ縁２２３、２３３、２４２に係合する。
【００１７】
前記の構成要素を組み合わせて本考案を構成する。該棚体と引出しの板体はそれぞれ単独に形成できる。棚体を構成する板体同士、引出しを構成する板体同士が、端縁に折り曲げにより形成された係合手段の係合により、簡単、かつ、迅速に接続及び組立られ、収納空間をとらず、輸送に便利な組立式引出し付き事務棚とされる。
【００１８】
本発明の構造と特長、応用技術と予期効果のさらなる理解を図るため、本発明の組立方式を以下のとおり詳細説明する。
【００１９】
該棚体１０を組み立てるとき、図７に示すとおり、該側板１３、１４下部の係合溝１３２、１４２の端縁を該下板１６の係合部１６２に係合させ、該下板１６の該係合縁１６３を各該側板１３、１４下部の係合溝１３２、１４２に挿入し、係合させる。引き続き、該結合筐体１１を該固定フレーム１３４、１４４の誘導により挿入し、該結合溝１３１、１４１の外部（図８）に係合する。該上板１５とこれら側板１３、１４を結合するときは、これら側板１３、１４上端を、該上板１５の挿入溝１５２にそれぞれ挿入し固定する。これと同時に該上板１５は該結合筐体１１を押さえて、該下板１６の方向に移動させ、該結合筐体１１を各側板１３、１４、上板１５及び下板１６の結合溝１３１、１４１、１５３、１６１に結合させる（図９）。該結合筐体１１を組み合わせる構造により、該棚体１０全体機構の強度を強化し、該棚体１０の板材の連結をより安定させ、歪みの軽減を図る。最後に、該側板１３、１４の係合溝１２１を該係合縁１３３、１４３、１５４、１６４に挿入し、該棚体１０の組立を完了する。
【００２０】
該引出し２０を組み立てるとき、図１３、１４に示す、該引出し側板２２、２３を該引出し前板２１に平行とし、該引出し側板２２、２３の該結合縁２２１、２３１を該引出し前板２１の結合溝２１２に係合させ、該引出し前板２１を回し垂直状態にして、該結合縁２２１、２３１を該結合溝２１２に確実に結合させる。引き続き、該引出し後板２４を上から下へ、該引出し側板２２、２３後部の係合溝２２２、２３２に挿入し、該係合縁２４１を該係合溝２２２、２３２と確実に結合する。最後に、該引出し底板２５を該引出し側板２２、２３、引出し前板２１及び引出し後板２４より囲まれた底面に組み込み、該引出し底板２５前方の結合縁２５１を該引出し前板２１の該結合溝２１１に係合させる。一方、その三つの折れ縁２５２は該折れ縁２２３、２３３、２４２に係合させ、該引出し後板２４のフランジ２４３によって、該引出し底板２５を固定し、該引出し底板２５の位置ずれを防止する。さらに、ボルトを該引出し底板２５前方に設ける結合縁２５１、該引出し前板２１の結合溝２１１、引出し側板２２、２３後部の係合溝２２２、２３２と引出し後板２４上部の係合縁２４１にねじ込み該引出し２０機構の組立を完了する。
【００２１】
本発明の棚体と引出し板材との組立は、該板材同士が接続する端縁に曲げ加工により一体に係合手段を形成し、対応する係合手段を係合させる方式により、隣り合う板材同士の固定を実現する。本発明の技術は以下の二つの効果を達成できる。各板材を生産するとき、板材の曲げ加工のみでよく、公知技術の板材の溶接加工を省略し、生産コスト低減の効果を有する。各板材を組み立てるとき、対応する係合手段を係合させて組み立てることで、組立工程を簡素化と迅速組立の効果を有する。本発明の組立式引出し付き事務棚の機構は該板材を組み立て前に、重ねて包装でき、包装材の使用を軽減し、製品の輸送と収納が有利、物流コストを軽減し、産業競争力の強化に寄与する。
【００２２】
前記した説明より、本発明の組立式引出し付き事務棚の機構は、各板材に曲げ加工により対応する係合手段を形成する設計により、各板材同士を結合し棚体と引出し機構を構成する。板材の製造及び組立工程の簡素化を実現しているほか、より良い組立固定方式により、製品の輸送と収納空間を減少し、全体の産業実用性とコスト効果を有する。本発明の機構は書誌又は公開使用が見当たらないため、発明特許の出願要件に合致している。よって、ご審査許可をお願いする。
【００２３】
本発明は一種の引出し付き事務棚を提供し、特に棚体と引出しの板材の係合結合方式により、棚体と引出しの部品製造工程の簡素化を図り、迅速に組み立てでき、製品の輸送と収納スペースを軽減できる。
【図面の簡単な説明】
【００２４】
【図１】本発明の引出し付き事務棚の立体外観概略図である。
【図２】本発明の引出し付き事務棚の使用態様概略図である。
【図３】本発明の引出し付き事務棚の立体分解図である。
【図４】本発明の引出し付き事務棚棚体の上、両側の棚体の組立断面概略図である。
【図５】本発明の引出し付き事務棚棚体の下、両側の棚体の組立断面概略図である。
【図６】本発明の引出し付き事務棚棚体の後部、両側の棚体の組立断面概略図である。
【図７】本発明の引出し付き事務棚の組立フロー概略図である。
【図８】本発明の引出し付き事務棚結合筐体の組立作動概略図である。
【図９】本発明の引出し付き事務棚の結合筐体と上板の組立作動概略図である。
【図１０】本発明の引出し付き事務棚引出しの立体分解図である。
【図１１】本発明の引出し付き事務棚引出しの組立断面概略図である。
【図１２】本発明の引出し付き事務棚引出しの局所組立断面概略図である。
【図１３】本発明の引出し付き事務棚引出しの組立フロー概略図である。
【図１４】本発明の引出し付き事務棚の前板と引出し側板の組立作動概略図である。
【符号の説明】
【００２５】
１０  棚体
１１  結合筐体
１２  背板
１２１  係合溝
１３１、１４１、１５３、１６１、２１１、２１２  結合溝
１３２、１４２係合溝
１３、１４  側板
１３３、１４３  係合縁
１３４、１４４  固定フレーム
１３５、１４５  組立孔
１５  上板
１５１  固定部材
１５２  挿入溝
１５４  係合縁
１６  下板
１６２  係合部
１６３、１６４  係合縁
２０  引出し
２１  引出し前板
２２、２３  引出し側板
２２１、２３１  結合縁
２２２、２３２  係合溝
２２４、２３４  連結片
２４  引出し後板
２４１  係合縁
２４２  折れ縁
２４３  フランジ
２５  引出し底板
２５１  結合縁
２５２  折れ縁
３０  滑りレール
【図１】
0004533370.tif 000002
【図２】
0004533370.tif 000003
【図３】
0004533370.tif 000004
【図４】
0004533370.tif 000005
【図５】
0004533370.tif 000006
【図６】
0004533370.tif 000007
【図７】
0004533370.tif 000008
【図８】
0004533370.tif 000009
【図９】
0004533370.tif 000010
【図１０】
0004533370.tif 000011
【図１１】
0004533370.tif 000012
【図１２】
0004533370.tif 000013
【図１３】
0004533370.tif 000014
【図１４】
0004533370.tif 000015